(57)【特許請求の範囲】
【請求項１】
貯蔵室の内部に設けられる貯蔵容器と、
前記貯蔵容器に設けられ、光の屈折を発生させ、前記貯蔵容器の内部の湿度を表示する装飾部材と、を含み、
前記装飾部材は、凝結水の移動が毛細管現象によって発生するように毛細管形態の流路部を含む
ことを特徴とする、冷蔵庫。
【請求項２】
前記装飾部材は、前記貯蔵容器に凝結している凝結水の移動を案内することを特徴とする、請求項１に記載の冷蔵庫。
【請求項３】
前記流路部は、光の屈折を誘発する形態で設けられ、
前記装飾部材は、
内部に複数個の流路部を有する表示板と、
前記表示板の後方に設けられて、前記流路部の後方をカバーする区画板と、
前記表示板の前方に設けられる透過部と、をさらに含むことを特徴とする、請求項２に記載の冷蔵庫。
【請求項４】
前記流路部は、上下方向に配置され、複数個が並列的に相互離隔して配置されることを特徴とする、請求項２に記載の冷蔵庫。
【請求項５】
前記流路部は、その内部に凝結水または空気が満たされるように、前記表示板の後面に凹んで形成されることを特徴とする、請求項２に記載の冷蔵庫。
【請求項６】
前記流路部の断面は半円形状とされ、所定の曲率を有することを特徴とする、請求項５に記載の冷蔵庫。
【請求項７】
毛細管現象及び光の屈折現象を誘導するように、前記流路部の幅は１〜１００μｍとすることを特徴とする、請求項２に記載の冷蔵庫。
【請求項８】
前記装飾部材は、前記表示板の下部に設けられ、前記貯蔵容器中の湿気が凝結してなる凝結水を収容する収容部を含むことを特徴とする、請求項３に記載の冷蔵庫。
【請求項９】
前記収容部は、湿気が凝結してなる水滴が収容される収容溝と、前記収容溝を取り囲み、水滴が収容部の外部にあふれないようにする壁と、を含むことを特徴とする、請求項８に記載の冷蔵庫。
【請求項１０】
前記装飾部材は、毛細管現象により前記流路部に沿って上昇移動する凝結水の高さによって前記貯蔵容器の内部の湿度を表示するように設けられることを特徴とする、請求項２に記載の冷蔵庫。
【請求項１１】
前記貯蔵容器の内部に設けられ、前記貯蔵容器の内部の水分を収容したり、収容している水分を放出して、前記貯蔵容器の内部の湿度を調節する湿度調節部をさらに含むことを特徴とする、請求項１に記載の冷蔵庫。
【請求項１２】
前記湿度調節部は、
前記貯蔵容器の側壁の前後方向に配置される延長部と、
前記延長部から下方に突出するとともに、複数個が互いに離隔している突出部と、
前記突出部の間に形成されて凝結水を収容する収容空間部と、
を含むことを特徴とする、請求項１１に記載の冷蔵庫。
【請求項１３】
前記貯蔵容器に収容されている貯蔵物を確認するための透視窓をさらに含む、請求項１に記載の冷蔵庫。
【請求項１４】
（Ａ）外部から透過する光の屈折を発生させるとともに、冷蔵庫の貯蔵容器の内部の湿度が水の浸透圧作用による移動によって表示される装飾部材の流路部のパターンを有するマスタースタンプを作製するステップと、
（Ｂ）前記マスタースタンプに形成されているパターンが転写される転写金型を作製するステップと、
（Ｃ）前記転写金型に形成されているパターンを所定の射出物に転写させて、前記装飾部材を作製するステップと、
を含むことを特徴とする、冷蔵庫の装飾部材の作製方法。
【請求項１５】
前記（Ａ）ステップは、
（Ａ−１）基板に感光液を塗布するステップと、
（Ａ−２）感光液の塗布されている基板上にマスクを載せて光を照射し、前記基板上に前記流路部のパターンに対応するパターンを形成するステップと、
（Ａ−３）前記感光液によって形成されるパターンの断面が、感光液の表面張力によって膨らんだ形状になるまで所定時間待ち、該パターンを硬化するステップと、
（Ａ−４）前記パターン及び基板上に所定の金属シード層を蒸着するステップと、
（Ａ−５）前記蒸着された金属シード層上に、前記金属シード層とは異なる金属を載せて、前記パターンの転写されたマスタースタンパーを形成するステップと、
を含むことを特徴とする、請求項１４に記載の冷蔵庫の装飾部材の作製方法。
【発明の詳細な説明】
【技術分野】
【０００１】
本発明は、冷蔵庫に係り、特に、均一に形成された濁度を有するとともに、貯蔵室の湿度を使用者が認識しやすくさせる装飾部材を有する冷蔵庫に関するものである。
【背景技術】
【０００２】
冷蔵庫は、圧縮、凝縮、膨脹、蒸発といった冷媒サイクルを用いて貯蔵物を冷蔵及び冷凍保管できる家電装置である。かかる冷蔵庫は、貯蔵室を有する本体と、該本体に回動可能にまたはスライド移動可能に設けられるドアと、貯蔵室の内部に設けられる棚及び引出し形態の貯蔵容器と、を含む構造となっている。
【０００３】
そして、本体の内部には、貯蔵室に冷気を排出する蒸発器及び冷気ファンが装着されている。このような構成において、蒸発器に冷媒が流入し、冷気ファンが回転すると、貯蔵室に冷気が流入し、該流入した冷気は、棚及び貯蔵容器に保管されている貯蔵物の冷蔵または冷凍保管を助ける。
近年、家電製品のデザイン向上の傾向に伴って家電製品の外面及びその附属物に所定の文様や形状を導入する傾向も目立っており、そのために、所定の文様や形状に外面を意図してスクラッチする場合があった。
【０００４】
このようなスクラッチのために、プラスチック射出物に細砂を吹き付ける方法(別名、サンドブラスト（Ｓａｎｄ  Ｂｌａｓｔｉｎｇ）法)が用いられているが、この方法は、均一な濁度を得難いという問題があった。
【０００５】
一方、貯蔵室のうち冷蔵室に設けられる引出し形態の貯蔵容器は、その内部に収容される野菜や果物の湿度を維持するために用いられるが、既存の冷蔵庫では、貯蔵室内部の湿度を使用者が認識できるような装置が設けられておらず、使用者は、現在の貯蔵容器内部の湿度がわからないという問題もあった。
【発明の概要】
【発明が解決しようとする課題】
【０００６】
本発明は上記問題点を解決するためのもので、その目的は、使用者が冷蔵庫内部の湿度を容易に認識及び判断できる冷蔵庫を提供することにある。
【０００７】
本発明の他の目的は、貯蔵容器内部の湿度を一定の範囲内に維持できる冷蔵庫を提供することにある。
【０００８】
そして、本発明のさらに他の目的は、デザイン改善のために所定の濁度を有する構成要素が必要とされる場合、その濁度を均一に維持することができる冷蔵庫を提供することにある。
【課題を解決するための手段】
【０００９】
上記目的を達成するための本発明の一実施例に係る冷蔵庫は、貯蔵室の内部に設けられる貯蔵箱と、前記貯蔵容器に設けられ、光の屈折を発生させるとともに、前記貯蔵容器に凝結している凝結水の移動を案内して、凝結水の移動度合によって前記貯蔵容器の内部の湿度を表示する装飾部材と、を含むことを特徴とする。
【００１０】
前記装飾部材は、前記凝結水の移動が毛細管現象によって発生するように毛細管形態の流路部を含むことを特徴とする。
【００１１】
前記流路部は、光の屈折を誘発する形態で設けられ、前記装飾部材は、内部に複数個の流路部を有する表示板と、前記表示板の後方に設けられて、前記流路部の後方をカバーする区画板と、前記表示板の前方に設けられる透過部と、をさらに含むことを特徴とする。
【００１２】
前記流路部は、上下方向に配置され、複数個が並列的に相互離隔して配置されることを特徴とする。
【００１３】
前記流路部は、その内部に凝結水または空気が満たされるように、前記表示板の後面に凹んで形成されることを特徴とする。
【００１４】
前記流路部の断面は半円形状とされ、所定の曲率を有することを特徴とする。
【００１５】
毛細管現象及び光の屈折現象を誘導するように、前記流路部の幅は１〜１００μｍとすることを特徴とする。
【００１６】
前記装飾部材は、前記表示板の下部に設けられ、前記貯蔵容器中の湿気が凝結してなる凝結水を収容する収容部を含むことを特徴とする。
【００１７】
前記収容部は、湿気が凝結してなる水滴が収容される収容溝と、前記収容溝を取り囲み、水滴が収容部の外部にあふれないようにする壁と、を含むことを特徴とする。
【００１８】
前記装飾部材は、毛細管現象により前記流路部に沿って上昇移動する凝結水の高さによって前記貯蔵容器の内部の湿度を表示するように設けられることを特徴とする。
【００１９】
上記冷蔵庫は、前記貯蔵容器の内部に設けられ、前記貯蔵容器の内部の水分を収容し、収容している水分を放出して、前記貯蔵容器の内部の湿度を調節する湿度調節部をさらに含むことを特徴とする。
【００２０】
前記湿度調節部は、前記貯蔵容器の側壁の前後方向に配置される延長部と、前記延長部から下方に突出するとともに、複数個が互いに離隔している突出部と、前記突出部の間に形成されて凝結水を収容する収容空間部と、を含むことを特徴とする。
【００２１】
また、本発明の一実施例に係る冷蔵庫の装飾部材の作製方法は、（Ａ）外部から透過する光の屈折を発生させるとともに、冷蔵庫の貯蔵容器の内部の湿度が水の浸透圧作用による移動によって表示される装飾部材の流路部のパターンを有するマスタースタンプを作製するステップと、（Ｂ）前記マスタースタンプに形成されているパターンが転写される転写金型を作製するステップと、（Ｃ）前記転写金型に形成されているパターンを所定の射出物に転写させて、前記装飾部材を作製するステップと、を含むことを特徴とする。
前記（Ａ）ステップは、（Ａ−１）基板に感光液を塗布するステップと、（Ａ−２）感光液の塗布されている基板上にマスクを載せて光を照射し、前記基板上に前記流路部のパターンに対応するパターンを形成するステップと、（Ａ−３）前記感光液によって形成されるパターンの断面が、感光液の表面張力によって膨らんだ形状になるまで所定時間待ち、該パターンを硬化するステップと、（Ａ−４）前記パターン及び基板上に所定の金属シード層を蒸着するステップと、（Ａ−５）前記蒸着された金属シード層上に、前記金属シード層とは異なる金属を載せて、前記パターンの転写されたマスタースタンパーを形成するステップと、を含むことを特徴とする。
【発明の効果】
【００２２】
本発明によれば、毛細管現象により装飾部材の内部で上昇する、湿気が凝結してなる凝結水の量によって、貯蔵容器の内部湿度の相対量を容易に把握することができる。
【００２３】
また、貯蔵容器の内部の湿度維持部が、貯蔵容器の内部の湿度が高すぎる場合には吸湿作用をして湿度の過剰上昇を防止し、湿度が減少する場合には防湿作用をすることで、貯蔵容器の内部の湿度を一定の範囲内に維持させることができる。
【００２４】
そして、デザイン改善のために所定の濁度を有する構成要素が必要とされる場合に、そのような濁度を均一に形成することができ、均一化した濁度を標準化及び大量生産化によって提供することが可能である。
【図面の簡単な説明】
【００２５】
【図１】本発明の一実施例に係る冷蔵庫の正面図である。
【図２】図１の冷蔵庫における貯蔵容器の斜視図である。
【図３】図２の貯蔵容器の側断面図である。
【図４】本発明の一実施例に係る冷蔵庫における装飾部材の横断図である。
【図５】図４の装飾部材の正面図である。
【図６】図２の貯蔵容器において湿度維持部の作用を示す側断面図である。
【図７】本発明に係る冷蔵庫における装飾部材の作製過程を示す図である。
【図８】本発明に係る冷蔵庫における装飾部材の作製過程を示す図である。
【図９】本発明に係る冷蔵庫における装飾部材の作製過程を示す図である。
【発明を実施するための形態】
【００２６】
以下、添付の図面を参照しつつ、本発明の実施例に係る冷蔵庫について説明する。
【００２７】
図１に示すように、本発明の一実施例に係る冷蔵庫は、本体１と、本体１の内部に設けられる貯蔵室１０と、貯蔵室１０を開閉するドア１４，１５と、を含む。ここで、貯蔵室１０は、冷蔵室１２及び冷凍室１１で構成される。
【００２８】
そして、本体１の上部には、ドア１４，１５を回動可能に取り付けて支持するためのヒンジ装置１６が設けられている。
【００２９】
貯蔵室１０の内部には、貯蔵物を載せておく棚３０と、貯蔵物を収納する貯蔵容器３２が設けられている。
【００３０】
ここで、貯蔵容器３２は、引出し形態とすることが好ましいが、これに限定されず、貯蔵物を別途に収納できる空間を有するものであれば、いずれも使用可能である。
【００３１】
図２に示すように、貯蔵容器３２は、貯蔵空間３５と、貯蔵空間３５を取り囲む周縁壁３８と、を含み、前方壁４０には、貯蔵空間３５内に収容されている貯蔵物を外部から視認できる透視窓４２が設けられる構成となっている。
【００３２】
そして、前方壁４０の上部には、貯蔵容器３２の外面を飾るとともに、貯蔵容器３２の内部湿度を表示できる装飾部材１００が設けられている。
【００３３】
装飾部材１００は、外部から光が入射する時に、光の屈折を発生させる構造とする。
【００３４】
この光の屈折により、装飾部材１００から見られる色相と、装飾部材１００以外の貯蔵容器３２の面から見られる色相とを異ならせ、見栄えをよくすることができる。
【００３５】
装飾部材１００は、内部に毛細管形態の細い管がちゅう密に設けられており、外部からは均質の濁度が具現されたように見える。
【００３６】
一方、貯蔵容器３２中の湿気が凝結して装飾部材１００の周囲に水滴がつく場合に、装飾部材１００の周囲についた水滴は、装飾部材１００の内部に設けられている毛細管形態の細い管に乗って上昇する。
【００３７】
すなわち、毛細管現象によって水が引っ張り上げられ、このような水の上昇度合によって貯蔵容器３２の内部の湿度がわかる。
【００３８】
図３に示すように、貯蔵容器３２の前方壁４０の上部の背面に装飾部材１００を設けることができる。
【００３９】
この装飾部材１００は、光の屈折を誘発する一方で、毛細管現象を誘発して水が上昇するように誘導する流路部１０５を備える表示板１１０と、表示板１１０の後方に設けられて、流路部１０５の後方を区画する区画板１２０と、表示板１１０の下部に設けられて、貯蔵容器３２中の湿気の一部から凝結した水滴を捕集して収容する収容部１３０と、を含む構成となっている。
【００４０】
ここで、表示板１１０は、樹脂材質からなると好ましく、表示板１１０の前面には透明または半透明材質の透過部１４０が設けられる。
【００４１】
そのため、流路部１０５の前方に表示板１１０が設けられ、流路部１０５の後方に区画板１２０が設けられることで、流路部１２０の下方以外の全ての部分が閉鎖される。
【００４２】
そして、収容部１３０は、湿気が凝結してなる水滴が収容される収容溝１３１と、収容溝１３１を取り囲んで、収容している凝結水が外部にあふれることを防止する壁１３２と、を含んでいる。
【００４３】
貯蔵容器３２の内部には、貯蔵容器３２の内部の湿度を一定の範囲に維持させる湿度維持部２００が設けられる。
【００４４】
湿度維持部２００は、湿気を構成する微小な水粒子が収容される収容空間部２１０と、収容空間部２１０を構成しながら相互離隔して配置される突出部２２０と、を含んでいる。
【００４５】
突出部２２０は、前後方向に延在している延長部２３０に設けられている。
【００４６】
ここで、収容空間部２１０は、下方に開放されており、この開放部分から、水分を構成する水粒子が流入して収容されたり、収容されている水分が放出されたりすることができる。
【００４７】
図４Ａ及び図４Ｂは、装飾部材の断面（図２の矢印Ａに沿う断面）を示す図である。同図で、装飾部材１００の流路部１０５は、左右に相互離隔した状態の複数個で構成されており、それぞれの流路部１０５に流入した水の流れは、他の流路に流入した水の流れに影響を受けることがない。
【００４８】
ここで、流路部１０５は、半円形状の断面を有し、表示板（図２の１１０参照）の前面に向けて凹んで形成されることが好ましい。
【００４９】
ただし、流路部１０５の断面は半円形状に限定されるものではなく、三角形や、四角形のような多角形の形状にしてもよい。
【００５０】
これは、流路部１０５の凹部１０５ａの表面から反射現象が起きるようにすると同時に、凹部１０５ａの内部で光の屈折が起きるようにするためである。
【００５１】
すなわち、表示部１４０はプラスチックのような物質からなり、流路部の内部は、水が満ちている以外は空気で満ちている。
【００５２】
表示部１４０の屈折率は略１．５で、空気の屈折率は１．０であるため、表示部１４０を通過した光は、流路部１０５の凹部１０５ａを通過しながら屈折し、そのため、外部から装飾部材１００を見ると、半透明または不透明に見える。
【００５３】
この時に、流路部１０５の内部に毛細管現象によって凝結水Ｗが満ちてくると、屈折の度合が弱くなる。
【００５４】
すなわち、水の屈折率は略１．３３であるから、表示板と空気との間で発生する屈折度合よりも、表示板１４０と水との間で発生する屈折度合が小さい。
【００５５】
したがって、水のない状態で形成された不透明または半透明の度合は、水が満ちてくると相当減少するため、凝結水Ｗで満たされている流路部１０５と、凝結水ではなく空気Ａで満たされている流路部１０５とが外見上明確に区別される。
【００５６】
一方、流路部１０５の曲率半径が小さくなるほど、屈折の焦点深度が近くなって屈折効果が増加し、流路部１０５の相互間隔が小さいほど流路部１０５の密度が高まり、光の全体的な屈折量が多くなって装飾部材１００の濁度が増加する。
【００５７】
図５Ａに示すように、貯蔵容器の内部の湿度がある程度維持される場合に、装飾部材１００に凝結している凝結水Ｗの一部が、毛細管現象によって流路部１０５に沿って上昇する。
【００５８】
しかし、図５Ｂに示すように、貯蔵容器の内部の湿度がさらに増加すると、前記装飾部材１００に凝結している凝結水Ｗの量も増加し、その分、より多くの凝結水Ｗが流路部に沿って上昇する。
【００５９】
このことから、使用者は湿度の相対的な変化を容易に感知することができる。ここで、流路部１０５に毛細管現象が発生するように、流路部１０５の幅は略１〜１００μｍにすることが好ましい。
【００６０】
ここで、表示板１１０を外部から見る時、均一な濁度を示すように、流路部１０５の幅は、互いに同一にするか、または一定の範囲内にすることが好ましい。
【００６１】
一方、図６に示すように、貯蔵容器３２の内部に装着される湿度維持部２００の構成は、下記の通りである。
【００６２】
貯蔵容器３２の側面部には、前後方に長く延びて配置される延長部２３０と、延長部２３０から下方に突出するとともに、互いに所定間隔を置いて配置される突出部２２０と、これら突出部の間に形成される収容空間部２１０と、が設けられている。
【００６３】
ここで、収容空間部２１０は、マイクロメートルレベルの微細な大きさを有し、その内部に、湿気を形成する微小な水粒子が収容されることが可能である。
【００６４】
すなわち、図６Ａに示すように、貯蔵容器の内部に湿気が増加すると、貯蔵容器３２の内部空間３５に拡散されている湿気の一部が突出部２２０及び収容空間部２１０の入口部に凝結する。
【００６５】
この凝結水は続いて毛細管現象によって収容空間部２１０の内部に流入して収容される。
【００６６】
一方、図６Ｂに示すように、貯蔵容器３２の内部に湿気が減少すると、収容空間部２１０に収容されている凝結水は、収容空間部２１０の入口の方向へ移動する。
【００６７】
この状態で凝結水は蒸発して、貯蔵容器３２の内部に収容されている貯蔵物Ｓを包むように水蒸気の形態となる。
【００６８】
すなわち、湿度維持部２００は、貯蔵容器３２の内部の湿度が増加する場合は吸湿機能を発揮し、貯蔵容器３２の内部の湿度が減少する場合は防湿機能を発揮することで、湿度を維持する機能を担う。
【００６９】
以下、添付の図面を参照して、装飾部材１００を作製する過程について説明する。
【００７０】
図７Ａ乃至図７Ｄに示すように、所定の面積を有する基板５０上に、感光液５１を塗布した後に、この感光液５１上にマスク５２を配置してＵＶ光を照射すると、マスク５２に形成されているパターンラインに対応して基板上に感光液による微細パターン５３が形成される。
【００７１】
そして、ある程度の時間が経過すると、感光液の表面張力によって微細パターンの端部が丸く変わって膨らんだ形状となり、上端部が所定の曲率を有するようになる。
【００７２】
そして、図８Ａ乃至図８Ｅに示すように、丸くなったパターン５３及び基板５０の上に所定の金属シード層６０を形成した後に、金属シード層６０上にニッケルなどのような金属をメッキしてマスタースタンプ７０を形成し、該マスタースタンプ７０を分離する。
【００７３】
このマスタースタンプ７０は、装飾部材（図３の１００）を構成する表示板（図３の１１０）の原形となる。
【００７４】
そして、マスタースタンプ７０の下部に、マスタースタンプ７０の材質と異なる金属物質を配置し、マスタースタンプ７０に形成されている微細パターン７１と逆のパターンを転写させることで、転写金型７５を作製する。
【００７５】
図９Ａ乃至図９Ｄに示すように、マスタースタンプ７０の微細パターン７１と逆のパターンが転写されている転写金型７５に流動性の樹脂材料８０を配置すると、この樹脂材料８０に所定の曲率を有するパターンが形成される。
【００７６】
このように所定の曲率を有するパターンが形成されている樹脂材料８０を硬化すると、本発明に係る装飾部材１００の表示板１１０が作製され、曲率を有するパターンは流路部１０５を構成する。
【００７７】
このように流路部１０５の設けられている表示板に区画板１２０を貼り付けて流路部１０５の後方を閉鎖し、収容部（図３の１３０）を取り付けることで、装飾部材１００が完成する。
【図１】
0005406372.tif 000002
【図２】
0005406372.tif 000003
【図３】
0005406372.tif 000004
【図４（ａ）】
0005406372.tif 000005
【図４（ｂ）】
0005406372.tif 000006
【図５（ａ）】
0005406372.tif 000007
【図５（ｂ）】
0005406372.tif 000008
【図６】
0005406372.tif 000009
【図７（ａ）】
0005406372.tif 000010
【図７（ｂ）】
0005406372.tif 000011
【図７（ｃ）】
0005406372.tif 000012
【図７（ｄ）】
0005406372.tif 000013
【図８（ａ）】
0005406372.tif 000014
【図８（ｂ）】
0005406372.tif 000015
【図８（ｃ）】
0005406372.tif 000016
【図８（ｄ）】
0005406372.tif 000017
【図９（ａ）】
0005406372.tif 000018
【図９（ｂ）】
0005406372.tif 000019
【図９（ｃ）】
0005406372.tif 000020
【図９（ｄ）】
0005406372.tif 000021